(57)【要約】【課題】布巻き取り過程中に、巻き取った中間の布が緩まず、布の品質を破壊せず、巻き取る布の品質の制限がない布巻き取り装置の提供。【解決手段】架体、該架体に配置された輸送機構、該架体に配置された巻き取り機構、該架体に配置されると共に輸送機構と巻き取り機構の間に位置する少なくとも一つの摩擦機構、該架体の両側に配置されたウエイト機構、該架体の下方に配置された変速機構、該架体に配置された停車機構で組成され、該輸送機構が布を巻き取り機構に送り、巻き取り機構が布を巻き取る時、巻き取った布の直径が大きくなって摩擦機構の摩擦ロッドと接触した後、摩擦ロッドが摩擦機構の布巻き取りを補助すると共に、摩擦機構がウエイト機構の牽引を受けることにより、布巻き取りの過程で、摩擦ロッドと中間の布が分離するのを防止する。【選択図】        図１
2004224501.tif 000002
【特許請求の範囲】
【請求項１】
布蓄積量の大きな高足布巻き取り装置とされ、架体（１）、該架体（１）に配置された巻き取り機構（３）、該架体（１）の下方に配置された変速機構（６）、該架体（１）に配置された停車機構（７）で組成され、編機が編成完成した布を巻き取るのに用いられる布巻き取り装置において、
該架体（１）に輸送機構（２）が配置され、この輸送機構（２）が第１、第２、第３回転ロッド（２１、２２、２３）で組成され、
該架体（１）に少なくとも一つの摩擦機構（４、４’）が配置され、この摩擦機構（４、４’）が二つの作動アーム（４１、４２）及び一つの摩擦ロッド（４３）で組成され、
該架体（１）に一組以上のウエイト機構（５）が配置され、該ウエイト機構（５）に上述の摩擦ロッド（４３）を引っ張る牽引手段が設けられ、
上述の輸送機構（２）が布を巻き取り機構（３）に輸送し布が巻き取られる時、巻き取られた布の直径が大きくなって布が摩擦機構（４、４’）の摩擦ロッド（４３）と接触した後、摩擦ロッド（４３）が巻き取り機構（３）の布巻き取りを補助し、摩擦機構（４、４’）がウエイト機構（５）の牽引を受けることにより、巻き取る布上を制圧し、摩擦ロッド（４３）と布の分離を防止するよう形成されたことを特徴とする、布巻き取り装置。
【請求項２】
請求項１に記載の布巻き取り装置において、第２回転ロッド（２２）の架体（１）の両側の側箱（１１’）を貫通する一端に第１、第２伝動輪（２２１、２２２）及び一つの従動輪（２２３）が設けられ、該第２回転ロッド（２２）に組み合わされた第１伝動輪（２２１）に伝動手段（８）が套設されたことを特徴とする、布巻き取り装置。
【請求項３】
請求項２に記載の布巻き取り装置において、伝動手段（８）がチェーン或いはベルトとされたことを特徴とする、布巻き取り装置。
【請求項４】
請求項１に記載の布巻き取り装置において、巻き取り機構（３）が架体（１）の側箱（１１’）内部に延伸された伝動軸（３３）を具え、この伝動軸（３３）に第３伝動輪（３４）が配置され、この第３伝動輪（３４）と第１伝動輪（２２１）に同じ伝動手段（８）が套設されたことを特徴とする、布巻き取り装置。
【請求項５】
請求項１に記載の布巻き取り装置において、二つの作動アーム（４１、４２）にそれぞれ一つの枢軸（４１１、４２１）が設けられ、該枢軸（４１１、４２１）が上述の側箱（１１’）部分に設けられた第４伝動輪（４１２）を貫通し、この第４伝動輪（４１２）に第２伝動輪（２２２）と同じ伝動手段（９）が套設されたことを特徴とする、布巻き取り装置。
【請求項６】
請求項５に記載の布巻き取り装置において、枢軸（４１１、４２１）が作動アーム（４１、４２）に配置された伝動セット（４１３）に伝動することを特徴とする、布巻き取り装置。
【請求項７】
請求項６に記載の布巻き取り装置において、伝動セット（４１３）が枢軸（４１１）の伝動を受けた後、摩擦ロッド（４３）を駆動し回転させることを特徴とする、布巻き取り装置。
【請求項８】
請求項１に記載の布巻き取り装置において、ウエイト機構（５）が一組のガイドプーリ（５１、５１’）、一つのガイドレール（５２）、二つの牽引手段（５３、５３’）、一つのウエイトセット（５４）、一つの押し棒（５５）で組成されたことを特徴とする、布巻き取り装置。
【請求項９】
請求項８に記載の布巻き取り装置において、牽引手段（５３、５３’）がガイドプーリ（５１、５１’）に掛けられた後に、一端が作動アーム（４１）に固定され、もう一端がウエイトセット（５４）に固定されたことを特徴とする、布巻き取り装置。
【請求項１０】
請求項８に記載の布巻き取り装置において、ウエイトセット（５４）が複数の金属ブロックで組成され、その重量が巻き取り機構（３）の巻き取りの回転速度により定められることを特徴とする、布巻き取り装置。
【発明の詳細な説明】
【０００１】
【発明の属する技術分野】
本発明は一種の布巻き取り装置に係り、特に、布蓄積量が大きい高足布巻き取り装置であって、巻き取り時に、巻き取る布を緩ませず、布巻き取り後の完全性を確保できる、布巻き取り装置に関する。
【０００２】
【従来の技術】
周知のとおり、現在、編機で編成完成した布は、布巻き取り装置により巻き取られる。このような布巻き取り装置は二種類に分けられ、そのうちの一種類は巻き取る布の直径が２０インチ程度とされ、布蓄積量が比較的小さいため広く使用されていない。もう一種類の布巻き取り装置は、巻き取る布の直径が４６インチ程度に達し、布蓄積量が比較的大きく、広く使用されている。
上述の布蓄積量の比較的大きな高足布巻き取り装置は巻き取った布の直径が２５インチに達して、巻き取りロッドの重量が大きくなると、このような布巻き取り装置の伝動方式は、ベルトで伝動する方式であるため、巻き取りロッドの伝動輪とベルトの間に空転が発生し、このため巻き取りロッドが回転して布を巻き取ることができなくなり、機械の故障を招き易い。
【０００３】
ゆえに、この問題を解決するため、伝統的なベルト駆動の方式をチェーン方式の駆動に改変した発明がある（例えば特許文献１参照。）。それによると、布を巻き取る時、開始後にチェーン方式で伝動した後、摩擦式で巻き取りロッドを駆動して布の巻き取りを行ない、巻き取りロッドの巻き取る布の直径が２５インチに達しても（巻き取りロッドに巻かれた布の重量が重たくなる）、チェーン方式の伝動により、それ以前の技術とは異なり、伝動輪とチェーンの間に空転を発生せず、持続して布を巻き取ることができる。この発明は布を巻き取る時、巻き取りロッドが、巻き取る布が多くなると、巻き取った布の直径が４６インチ程度になるまで巻き取りロッドがガイドレールに沿ってゆっくりと上向きに移動する。しかし、このような布巻き取り装置は布巻き取り時に、巻き取りロッドの回転速度が高くなって遠心力が大きくなり、さらに布は軟性であるため、巻き取りロッドのぐらつきが大きくなり、巻き取りが不均一となる（摩擦が不均一となる）時、巻き取った布がゆるみやすく、且つ布巻き取りの過程で、もし布に網目があると、網目が破壊され（布の重量による）、ゆえにこのような布蓄積量の大きな高足布巻き取り装置は一般の高級布材の巻き取りには不適合であり、一般の工業用布材にのみ適用されうる。
【０００４】
【特許文献１】
米国特許第５６４９４３５号明細書
【０００５】
【発明が解決しようとする課題】
本発明の主要な目的は、上述の従来の技術の欠点を解決し、欠点の存在を無くすことにあり、本発明は布蓄積量の比較的大きな高足布巻き取り装置の設計を改良し、布巻き取り過程中に、巻き取った中間の布が緩まず、また、布の品質を破壊せず（布が摩擦ロッドに押しつけられない）、これにより巻き取る布の品質の制限を無くす。
【０００６】
【課題を解決するための手段】
請求項１の発明は、布蓄積量の大きな高足布巻き取り装置とされ、架体（１）、該架体（１）に配置された巻き取り機構（３）、該架体（１）の下方に配置された変速機構（６）、該架体（１）に配置された停車機構（７）で組成され、編機が編成完成した布を巻き取るのに用いられる布巻き取り装置において、
該架体（１）に輸送機構（２）が配置され、この輸送機構（２）が第１、第２、第３回転ロッド（２１、２２、２３）で組成され、
該架体（１）に少なくとも一つの摩擦機構（４、４’）が配置され、この摩擦機構（４、４’）が二つの作動アーム（４１、４２）及び一つの摩擦ロッド（４３）で組成され、
該架体（１）に一組以上のウエイト機構（５）が配置され、該ウエイト機構（５）に上述の摩擦ロッド（４３）を引っ張る牽引手段が設けられ、
上述の輸送機構（２）が布を巻き取り機構（３）に輸送し布が巻き取られる時、巻き取られた布の直径が大きくなって布が摩擦機構（４、４’）の摩擦ロッド（４３）と接触した後、摩擦ロッド（４３）が巻き取り機構（３）の布巻き取りを補助し、摩擦機構（４、４’）がウエイト機構（５）の牽引を受けることにより、巻き取る布上を制圧し、摩擦ロッド（４３）と布の分離を防止するよう形成されたことを特徴とする、布巻き取り装置としている。
請求項２の発明は、請求項１に記載の布巻き取り装置において、第２回転ロッド（２２）の架体（１）の両側の側箱（１１’）を貫通する一端に第１、第２伝動輪（２２１、２２２）及び一つの従動輪（２２３）が設けられ、該第２回転ロッド（２２）に組み合わされた第１伝動輪（２２１）に伝動手段（８）が套設されたことを特徴とする、布巻き取り装置としている。
請求項３の発明は、請求項２に記載の布巻き取り装置において、伝動手段（８）がチェーン或いはベルトとされたことを特徴とする、布巻き取り装置としている。
請求項４の発明は、請求項１に記載の布巻き取り装置において、巻き取り機構（３）が架体（１）の側箱（１１’）内部に延伸された伝動軸（３３）を具え、この伝動軸（３３）に第３伝動輪（３４）が配置され、この第３伝動輪（３４）と第１伝動輪（２２１）に同じ伝動手段（８）が套設されたことを特徴とする、布巻き取り装置としている。
請求項５の発明は、請求項１に記載の布巻き取り装置において、二つの作動アーム（４１、４２）にそれぞれ一つの枢軸（４１１、４２１）が設けられ、該枢軸（４１１、４２１）が上述の側箱（１１’）部分に設けられた第４伝動輪（４１２）を貫通し、この第４伝動輪（４１２）に第２伝動輪（２２２）と同じ伝動手段（９）が套設されたことを特徴とする、布巻き取り装置としている。
請求項６の発明は、請求項５に記載の布巻き取り装置において、枢軸（４１１、４２１）が作動アーム（４１、４２）に配置された伝動セット（４１３）に伝動することを特徴とする、布巻き取り装置としている。
請求項７の発明は、請求項６に記載の布巻き取り装置において、伝動セット（４１３）が枢軸（４１１）の伝動を受けた後、摩擦ロッド（４３）を駆動し回転させることを特徴とする、布巻き取り装置としている。
請求項８の発明は、請求項１に記載の布巻き取り装置において、ウエイト機構（５）が一組のガイドプーリ（５１、５１’）、一つのガイドレール（５２）、二つの牽引手段（５３、５３’）、一つのウエイトセット（５４）、一つの押し棒（５５）で組成されたことを特徴とする、布巻き取り装置としている。
請求項９の発明は、請求項８に記載の布巻き取り装置において、牽引手段（５３、５３’）がガイドプーリ（５１、５１’）に掛けられた後に、一端が作動アーム（４１）に固定され、もう一端がウエイトセット（５４）に固定されたことを特徴とする、布巻き取り装置としている。
請求項１０に記載の発明は、請求項８に記載の布巻き取り装置において、ウエイトセット（５４）が複数の金属ブロックで組成され、その重量が巻き取り機構（３）の巻き取りの回転速度により定められることを特徴とする、布巻き取り装置としている。
【０００７】
【発明の実施の形態】
本発明の布巻き取り装置は、架体、該架体に配置された輸送機構、該架体に配置された巻き取り機構、該架体に配置されると共に輸送機構と巻き取り機構の間に位置する少なくとも一つの摩擦機構、該架体の両側に配置されたウエイト機構、該架体の下方に配置された変速機構、該架体に配置された停車機構で組成されている。該輸送機構が布を巻き取り機構に送り、巻き取り機構が布を巻き取る時、巻き取った布の直径が大きくなって摩擦機構の摩擦ロッドと接触した後、摩擦ロッドが摩擦機構の布巻き取りを補助すると共に、摩擦機構がウエイト機構の牽引を受けることにより、布巻き取りの過程で、摩擦ロッドと中間の布が分離するのを防止する。
【０００８】
【実施例】
図１、２、３、４に示されるように、本発明の布巻き取り装置は、布蓄積量の大きな高足布巻き取り装置であり、この装置は、
該架体（１）とされ、両側の側箱（１１、１１’）を具え、この二つの側箱（１１、１１’）の間に複数の支持ロッド（１２、１３）が設けられた、上記架体（１）と、
輸送機構（２）とされ、該架体（１）の上方に配置され、第１、第２、第３回転ロッド（２１、２２、２３）を具え、この複数の回転ロッド（２１、２２、２３）の両端がそれぞれ上述の両側の側箱（１１、１１’）を貫通し、並びに回転ロッド（２２）の側箱（１１’）の一端を貫通する一端に、第１、第２伝動輪（２２１、２２２）及び一つの従動輪（２２３）が設けられ、回転ロッド（２１、２３）の側箱（１１’）を貫通する一端に、前述の従動輪（２２３）と噛み合い伝動する被動輪（２１１、２３１）が設けられ、回転ロッド（２２）の第１伝動輪（２２１）が伝動手段（８）（チェーン）の伝動を受ける時、回転ロッド（２１、２３）を駆動して回転させ、別に、該回転ロッド（２１、２３）が両側の側箱（１１、１１’）を貫通する前に、先に二つの固定手段（２４、２４’）に組み付けられ、この二つの固定手段（２４、２４’）にそれぞれスクリューロッドで組成された調整手段（２５、２５’）が設けられ、この調整手段（２５、２５’）にそれぞれ移動ブロック（２６、２６’）が枢設され、この二つの移動ブロック（２６、２６’）の間に弾性手段（２７）が套設され、二つの調整手段（２５、２５’）を回転させる時、二つの移動ブロック（２６、２６’）を制御して移動させられ、弾性手段（２７）に伸縮状態を形成させ、こうして二つの回転ロッド（２１、２３）ともう一つの回転ロッド（２２）間の距離を調整し、また、前述の固定手段（２４、２４’）の下方に制御手段（２８）が配置され、この制御手段（２８）の作動時に、固定手段（２４’）が回転ロッド（２３）を駆動してもう一つの回転ロッド（２２）と噛み合い状態となす、上記輸送機構（２）と、
巻き取り機構（３）とされ、相互に対称な枢軸（３１、３１’）とこの二つの枢軸（３１、３１’）に枢接されて回転する巻き軸（３２）で組成され、この巻き取り機構（３）が側箱（１１’）内部に延伸された伝動輪（３３）を具え、この伝動輪（３３）に第３伝動輪（３４）が配置され、この第３伝動輪（３４）と第１伝動輪（２２１）に同じ伝動手段（８）が套設され、第１伝動輪（２２１）が駆動される時、第３伝動輪（３４）が駆動され、これにより巻き取り機構（３）の巻き軸（３２）が回転し、布の巻き取りを行う、上記巻き取り機構（３）と、
摩擦機構（４、４’）とされ、二組が相互に対応する状態を呈すると共に上述の輸送機構（２）と巻き取り機構（３）の間に枢接され、各一つの摩擦機構（４）（一組についてのみ説明する）は、二つの作動アーム（４１、４２）及び一つの摩擦ロッド（４３）で組成され、この二つの作動アーム（４１、４２）にそれぞれ枢軸（４１１、４２１）があり、前述の枢軸（４１１）の上述の側箱（１１’）を貫通する部分に第４伝動輪（４１２）（スプロケット）が設けられ、この第４伝動輪（４１２）に套設される伝動手段（９）と第２伝動輪（２２２）のものが同じであり、該第２伝動輪（２２２）も同期に回転し、このとき伝動手段（９）が枢軸（４１１）に伝動して回転させ、この枢軸（４１１）が作動アーム（４１）に配置された伝動セット（４１３）を駆動し、この伝動セット（４１３）が枢軸（４１１）により駆動された後、摩擦ロッド（４３）を駆動して回転させ、巻き取り機構（３）の巻いた布の直径が２５インチを超過して、該巻き軸（３２）にかかる重量が大きくなり、第１伝動輪（２２１）に第３伝動輪（３４）を正常に駆動させて回転させることができなくなると、代わって摩擦ロッド（４３）が巻き取り機構（３）の布巻き取り動作を補助し、別に二つの作動アーム（４１、４２）にそれぞれ係止手段（４４、４４’）が設けられ、布巻き取り装置の布巻き取りが完成して布を取り外す時、或いは布巻き取り装置が布巻き取りを停止する時、該係止手段（４４、４４’）が支持ロッド（１２）に掛けられ、摩擦機構（４）がそれ以上巻き取られた布を制圧しないようにし、これにより布の取り外し或いは布巻き取り装置の各修理或いは取り付け作業を行える、上記摩擦機構（４、４’）と、
ウエイト機構（５）（僅かに一組につき説明する）とされ、一組のガイドプーリ（５１、５１’）、一つのガイドレール（５２）、二つの牽引手段（５３、５３’）、一つのウエイトセット（５４）、一つの押し棒（５５）で組成され、が牽引手段（５３）がガイドプーリ（５１、５１’）に掛けられた後に、一端が作動アーム（４１）に固定され、もう一端がウエイトセット（５４）に固定され、巻き取り機構（３）の巻き取った布がますます多くなる時、二つの摩擦機構（４、４’）が外向きに開き、このとき二つの摩擦機構（４、４’）の作動アーム（４１、４１’）がウエイトセット（５４）を引き動かしてガイドレール（５２）上で作動させ、ウエイトセット（５４）が一定の重量を具えていることから、摩擦機構（４、４’）の摩擦ロッド（４３、４３’）がしっかりと巻き取り機構（３）の巻き取った布を押さえ、巻き取った布がゆるむのを防止し、また、巻き取り機構（３）の巻き取りを補助し、また、前述のウエイトセット（５４）は複数の金属ブロックで組成され、この複数の金属ブロックによりウエイトセット（５４）の重量調整が行え、この重量の多寡が巻き取り機構（３）の布巻き取りの回転速度により決定され、巻き取り機構（３）の回転速度が速ければ、作動アーム（４１、４１’）が布面を離脱し、遠心力がウエイトセット（５４）より大きくなるため、この時、ウエイトセット（５４）は比較的重くされ、これにより布面の幅の完全度を確保し、巻き取り機構（３）に編機で編成完成した布を安定して巻き取らせる、上記ウエイト機構（５）と、
変速機構（６）とされ、制御箱（６１）及び第１、２変速伝動セット（６２、６３）（図８、９参照）で組成され、前述の制御箱（６１）に布巻き取りの張力を制御するか或いは手動方式で布を巻き取るクラッチハンドル（６１１、６１２）と、布巻き取り速度を調整する速度調整ボタン（６１３、６１４）が設けられ、前述の第１変速伝動セット（６２）に第５伝動輪（６２１）及び異なる寸法の従動輪（６２２、６２３）が設けられ、該第５伝動輪（６２１）に伝動手段（１０）が套設され、この伝動手段（１０）の一端が上述の回転ロッド（２２）のもう一端の第６伝動輪（２２４）に套設され、第２変速伝動セット（６３）に側箱（１１）外部に延伸された調整ボタン（６３１）と、側箱（１１）内部に位置する一組の異なる寸法の従動輪（６３２、６３３）が設けられ、制御箱（６１）の制御時に、第１変速伝動セット（６２）の従動輪（６２２）と第２変速伝動セット（６３）の従動輪（６３２）が噛み合わされた後、第１シフト調整が形成され、第１変速伝動セット（６２）の従動輪（６２３）と第２変速伝動セット（６３）の従動輪（６３３）が噛み合い、第２シフト調整を形成し、これにより巻き取る布の張力を調整するか或いは手動の布巻き取り状態が調整される、上記変速機構（６）と、
停車機構（７）とされ、作動ロッド（７１）と連接棒（７２）で組成され、該作動ロッド（７１）が上述の二つのガイドプーリ（５１、５１’）間に配置され、並びに側箱（１１’）内部に延伸され、作動ロッド（７１）の一端に連接棒（７２）が枢接され、この連接棒（７２）が側箱（１１’）の底部外に延伸されてセンサ（図示せず）と連接され、上述の巻き取り機構（３）が布を一定寸法に巻き取った後、ウエイトセット（５４）の押し棒（５５）が作動ロッド（７１）に圧接する時、該作動ロッド（７１）が連接棒（７２）を駆動してセンサに感知させ、センサがこの信号を感知後に、即刻布巻き取り装置を停止させ、これにより操作者が巻き取り機構（３）の巻き取った布を取り外すことができる、上記停車機構（７）と、
を具え、上述の各機構により布蓄積量の比較的大きな高足布巻き取り装置が構成されている。
【０００９】
図５、６、７、８、９、１０に示されるように、布巻き取り装置が布を巻き取る時、操作者は先ず編機で編成した布の前段を輸送機構（２）の各回転ロッド（２１、２２、２３）の間に通し、さらに手動方式で布を巻き取り機構（３）の巻き軸（３２）に巻き付ける。
【００１０】
布巻き取り装置が作動時、該固定軸（１０１）及びかさば歯車（１０４）は固定されて不動であり、布巻き取り装置が車台の牽引を受けて回転する時、該伝動ロッド（１０２）の一端のかさば歯車（１０３）が固定軸（１０１）のかさば歯車（１０４）において回転して第２変速伝動セット（６３）を駆動し、さらに第２変速伝動セット（６３）が第１変速伝動セット（６２）を駆動して回転させ、第１変速伝動セット（６２）が伝動手段（１０）（チェーン）を介して回転ロッド（２２）を回転させ、回転ロッド（２２）が動作する時、回転ロッド（２２）のもう一端の第１、第２伝動輪（２２１、２２２）及び従動輪（２２３）も同時に駆動され、同時に該第１伝動輪（２２１）が伝動手段（８）を介して第３伝動輪（３４）を駆動し回転させ、これにより巻き取り機構（３）の巻き軸（３２）を回転させ、布の巻き取りを行う。且つ第２伝動輪（２２２）が伝動手段（９）を介して枢軸（４１１）及び第４伝動輪（４１２）を駆動し、これにより伝動セット（４１３、４１３’）も摩擦ロッド（４３、４３’）を駆動し回転させる。
【００１１】
巻き軸（３２）の巻き取った布が徐々に多くなる時、巻き取った布の外径がゆっくりと、摩擦機構（４、４’）の摩擦ロッド（４３、４３’）と接触し、巻き取った布の円径が２５インチになると（巻き取った布の円径が２５インチより小さいとき、プーリにより駆動され、２５インチより大きい時、摩擦ロッド（４３、４３’）により駆動される）、巻き軸（３２）にかかる重量が大きくなり、この時、摩擦機構（４、４’）の摩擦ロッド（４３、４３’）が巻き軸（３２）の巻き取りを補助し、巻き軸（３２）の負荷を減少する。
【００１２】
巻き軸（３２）の巻き取った布が多くなる時、摩擦機構（４、４’）が外向きに開き、これによりウエイト機構（５）が引き動かされ、この時ウエイト機構（５）のウエイトセット（５４）が徐々に上昇し、同時に摩擦機構（４、４’）がウエイト機構（５）の設計により、摩擦機構（４、４’）の摩擦ロッド（４３、４３’）がしっかりと巻き取った布を押さえ、且つ摩擦機構（４、４’）及び布の回転速度が速過ぎることにより分離して布の巻き取りが不完全になるのを防止し、或いは布巻き取り装置の故障や布の引っ張りによる切断や破壊を防止する。
【００１３】
巻き取り機構（３）の巻き軸（３２）の巻き取った布が約４６インチになり、ウエイト機構（５）のウエイトセット（５４）も最上端に引き伸ばされ、ウエイトセット（５４）の押し棒（５５）が作動ロッド（７１）に圧接する時、該作動ロッド（７１）が連接棒（７２）を駆動してセンサに感知させ、センサがこの信号を感知した後に、即刻布巻き取り装置を停止させ、これにより操作者が巻き取り機構（３）の巻き取った布を取り外すことができる。
【００１４】
巻き取りの過程中の張力、或いは手動方式の布巻き取り時に、制御箱（６１）のクラッチハンドル（６１１、６１２）により、第１変速伝動セット（６２）の従動輪（６２２）と第２変速伝動セット（６３）の従動輪（６３２）が噛み合わされた後、第１シフト調整が形成され、第１変速伝動セット（６２）の従動輪（６２３）と第２変速伝動セット（６３）の従動輪（６３３）が噛み合って、第２シフト調整が形成され、この調整により布巻き取りの張力或いは手動布を巻き取る状態が調整される。また、速度調整ボタン（６１３、６１４）の調整にクラッチハンドル（６１１、６１２）が組み合わされて少なくとも１２０種類以上の段数調整が行え、異なる布を巻き取るのに便利である。
【００１５】
図１０、１１に示されるように、布巻き取り装置の布巻き取り完成後に、布を取り出す時、或いは布巻き取り装置が布巻き取りを停止する時、作動アーム（４１、４２）の回転つまみ（４５、４５’）がゆるめられ、外アームロッド（４６、４６’）と作動アーム（４１、４２）が分離され、係止手段（４４、４４’）が支持ロッド（１２）に掛けられ、摩擦機構（４）がそれ以上布を押圧しないものとされ、布の取り出し或いは布巻き取り装置の各種の種類或いは取り付け作業を行うことができる。
【００１６】
【発明の効果】
本発明は、従来の技術の欠点を解決し、欠点の存在を無くしており、本発明は布蓄積量の比較的大きな高足布巻き取り装置の設計を改良し、布巻き取り過程中に、巻き取った中間の布が緩まず、また、布の品質を破壊せず（布が摩擦ロッドに押しつけられない）、これにより巻き取る布の品質の制限を無くしている。
【図面の簡単な説明】
【図１】本発明の布巻き取り装置の外観立体図である。
【図２】図１の別角度からみた立体図である。
【図３】図１のさらに別の角度からみた立体図である。
【図４】図３の局部拡大図である。
【図５】本発明の側面動作表示図である。
【図６】本発明の側面動作表示図である。
【図７】本発明の側面動作表示図である。
【図８】本発明の巻き取る布の張力と手動の巻き取りの調整表示図である。
【図９】本発明の巻き取る布の張力と手動の巻き取りの調整表示図である。
【図１０】本発明の巻き取り完成表示図である。
【図１１】本発明の巻き取り完成の側面図である。
【符号の説明】
（１）架体
（１１、１１’）側箱
（１２、１３）支持ロッド
（２）輸送機構
（２１、２２、２３）回転ロッド
（２２１）第１伝動輪
（２２２）第２伝動輪
（２２３）従動輪
（２１１、２３１）被動輪
（８）伝動手段
（２４、２４’）固定手段
（２５、２５’）調整手段
（２６、２６’）移動ブロック
（２７）弾性手段
（２８）制御手段
（３）巻き取り機構
（３１、３１’）枢軸
（３２）巻き軸
（３３）伝動輪
（３４）第３伝動輪
（４、４’）摩擦機構
（４１、４２）作動アーム
（４３）摩擦ロッド
（４１１、４２１）枢軸
（４１２）第４伝動輪
（４１３）伝動セット
（４４、４４’）係止手段
（５）ウエイト機構
（５１、５１’）ガイドプーリ
（５２）ガイドレール
（５３、５３’）牽引手段
（５４）ウエイトセット
（５５）押し棒
（６）変速機構
（６１）制御箱
（６２）第１変速伝動セット
（６３）第２変速伝動セット
（６１１、６１２）クラッチハンドル
（６１３、６１４）速度調整ボタン
（６２１）第５伝動輪
（６２２、６２３）従動輪
（１０）伝動手段
（２２４）第６伝動輪
（６３１）調整ボタン
（６３２、６３３）従動輪
（７）停車機構
（７１）作動ロッド
（７２）連接棒
【図１】
2004224501.tif 000003
【図２】
2004224501.tif 000004
【図３】
2004224501.tif 000005
【図４】
2004224501.tif 000006
【図５】
2004224501.tif 000007
【図６】
2004224501.tif 000008
【図７】
2004224501.tif 000009
【図８】
2004224501.tif 000010
【図９】
2004224501.tif 000011
【図１０】
2004224501.tif 000012
【図１１】
2004224501.tif 000013